(57)【要約】【課題】リムーバブルハードディスクの交換・追加後においても、ハードディスクへのアクセス時間の短縮が可能な電子情報記録装置を提供する。【解決手段】ＨＤＤ１１内での映像データの記録終了位置の情報を、ＨＤＤ１１内に記録するだけでなく、不揮発性メモリ１４にも記録する。ＣＰＵ８は、装置起動時にＨＤＤ１１及び不揮発性メモリ１４の双方の記録終了位置の情報を照合する。両者が一致しなければ、不揮発性メモリ１４の記録内容をＨＤＤ１１内に記録された記録終了位置の情報に更新し、以降の入力データの記録を、更新後の記録終了位置から行う。つまり、不一致があればＨＤＤの交換があったとみなして、交換後のＨＤＤの記録終了位置から入力データを記録する。これにより、ハードディスク等のディスク状記録媒体の交換後においても、ディスク状記録媒体へのアクセス時間の短縮が可能な電子情報記録装置が実現できる。【選択図】        図１
2004355692.tif 000002
【特許請求の範囲】
【請求項１】
データ入力部と、
制御部と、
着脱可能なディスク状記録媒体と、
不揮発性メモリと
を備え、
前記制御部は、
前記データ入力部を介して入力された入力データを前記ディスク状記録媒体に記録し、
前記入力データの記録に際して、前記ディスク状記録媒体内における前記入力データの記録終了位置の情報を、前記ディスク状記録媒体及び前記不揮発性メモリの双方に記録し、
所定の動作期間に、前記ディスク状記録媒体及び前記不揮発性メモリの双方の前記記録終了位置の情報を照合し、
両者が一致すれば、前記不揮発性メモリに記録された前記記録終了位置から、以降の前記入力データの記録を行い、
両者が一致しなければ、前記不揮発性メモリに記録された前記記録終了位置の情報を、前記ディスク状記録媒体に記録された前記記録終了位置の情報に更新し、以降の前記入力データの記録を更新後の前記記録終了位置から行う
電子情報記録装置。
【請求項２】
請求項１に記載の電子情報記録装置であって、
前記ディスク状記録媒体は複数であり、あるいは、追加により複数とすることが可能であり、
前記制御部は、
前記入力データを複数の前記ディスク状記録媒体のいずれかに記録し、
前記いずれかにおいて残り記録可能容量がなくなった場合には、前記入力データを複数の前記ディスク状記録媒体の他のいずれかに記録し、
前記所定の動作期間に、複数の前記ディスク状記録媒体の各々と前記不揮発性メモリとの間で前記照合を行い、
両者間で一致するものがあれば、前記不揮発性メモリに記録された前記記録終了位置から、以降の前記入力データの記録を行い、
両者間で一致するものがなければ、前記不揮発性メモリに記録された前記記録終了位置の情報を、所定の条件を満たす前記ディスク状記録媒体に記録された前記記録終了位置の情報に更新し、以降の前記入力データの記録を更新後の前記記録終了位置から行う
電子情報記録装置。
【請求項３】
請求項２に記載の電子情報記録装置であって、
前記所定の条件とは、前記記録終了位置の情報が記録された時間の先後に基づく条件である
電子情報記録装置。
【請求項４】
請求項２に記載の電子情報記録装置であって、
前記所定の条件とは、残り記録可能容量の大小に基づく条件である
電子情報記録装置。
【請求項５】
請求項２に記載の電子情報記録装置であって、
前記所定の条件とは、予め設定された、複数の前記ディスク状記録媒体ごとの優先順位に基づく条件である
電子情報記録装置。
【発明の詳細な説明】
【０００１】
【発明の属する技術分野】
この発明は、映像情報等を電子的に記録可能なハードディスク等の記録媒体を含む電子情報記録装置に関する。
【０００２】
【従来の技術】
ハードディスクの大容量化に伴い、近年では、莫大な情報量を有する映像データをも長時間記録可能なハードディスクビデオレコーダが開発されている。このような、ハードディスクを有する電子情報記録装置の技術は、例えば下記特許文献１に記載されている。
【０００３】
【特許文献１】
特開２０００−３２４４３５号公報
【０００４】
【発明が解決しようとする課題】
上記特許文献１に記載の記録装置においては、映像データのＥＯＦ（Ｅｎｄ  Ｏｆ  Ｆｉｌｅｓ）情報を、ハードディスク内のＦＡＴエリアに記録するだけでなく、ハードディスクの駆動装置内に設けられたシステムエントリーメモリ（不揮発性メモリ）にも記録する。これにより、ハードディスクにアクセスしなくともシステムエントリーメモリの記録情報から映像データの終了点をいち早く検出でき、映像データ追加記録時のアクセス時間の短縮が図られている。
【０００５】
しかしながらこの技術においては、ハードディスク及びその駆動装置を一体として着脱可能とするリムーバブルハードディスクを、交換や追加した場合の配慮がなされていない。
【０００６】
この発明は上記の事情に鑑みてなされたもので、リムーバブルハードディスクの交換・追加後においても、ハードディスクへのアクセス時間の短縮が可能で、かつ、最適な映像データ終了点の検出が可能な電子情報記録装置を提供することを目的とする。
【０００７】
【課題を解決するための手段】
請求項１に記載の発明は、データ入力部と、制御部と、着脱可能なディスク状記録媒体と、不揮発性メモリとを備え、前記制御部は、前記データ入力部を介して入力された入力データを前記ディスク状記録媒体に記録し、前記入力データの記録に際して、前記ディスク状記録媒体内における前記入力データの記録終了位置の情報を、前記ディスク状記録媒体及び前記不揮発性メモリの双方に記録し、所定の動作期間に、前記ディスク状記録媒体及び前記不揮発性メモリの双方の前記記録終了位置の情報を照合し、両者が一致すれば、前記不揮発性メモリに記録された前記記録終了位置から、以降の前記入力データの記録を行い、両者が一致しなければ、前記不揮発性メモリに記録された前記記録終了位置の情報を、前記ディスク状記録媒体に記録された前記記録終了位置の情報に更新し、以降の前記入力データの記録を更新後の前記記録終了位置から行う電子情報記録装置である。
【０００８】
【発明の実施の形態】
＜実施の形態１＞
本実施の形態は、ディスク状記録媒体及び不揮発性メモリの双方の記録終了位置の情報を照合し、両者が一致しなければ、ディスク状記録媒体の交換があったとみなして、制御部が新たなディスク状記録媒体の記録終了位置の情報を不揮発性メモリに記録し、以降の入力データの記録を、更新後の記録終了位置から行う電子情報記録装置である。
【０００９】
図１は、本実施の形態に係る電子情報記録装置の構成を示すブロック図である。なお、本実施の形態においても、上述のハードディスクビデオレコーダと同様、映像信号の記録を使用用途の例に採る。
【００１０】
この電子情報記録装置においてデータ記録（すなわち録画）を行う場合、まず、データ入力部たる映像入力端１を介して入力された、入力データたるアナログ映像信号がデコーダ２によってデジタル映像データへと変換される。変換されたデジタル映像データは、入出力信号切替部３に送られる。
【００１１】
入出力信号切替部３は、アナログ映像信号入力時には録画とモニタ出力とを行え、アナログ映像信号出力（すなわち再生）時にはモニタ出力を行えるようにするために信号経路を切り替えるブロックである。具体的には、一般的なマトリクス回路、例えばＦＰＧＡ（Ｆｉｅｌｄ  Ｐｒｏｇｒａｍｍａｂｌｅ  Ｇａｔｅ  Ａｒｒａｙ）で構成されるスイッチ群である。
【００１２】
入出力信号切替部３を通過するスルーデジタル映像データは、エンコーダ４にて再度、アナログ映像信号へと変換され、映像出力端５から出力される。映像出力端５にはＣＲＴ（Ｃａｔｈｏｄｅ  Ｒａｙ  Ｔｕｂｅ）ディスプレイや、液晶ディスプレイ、ＰＤＰ（Ｐｌａｓｍａ  Ｄｉｓｐｌａｙ  Ｐａｎｅｌ）等の表示装置（図示せず）が接続され、モニタ出力が行える。
【００１３】
一方、記録に用いられるデジタル映像データは、コーデック部１３内のデータ圧縮回路６にて圧縮される。圧縮後のデジタル映像データは、メモリ９へ一旦、格納された後に、ＩＤＥ（Ｉｎｔｅｇｒａｔｅｄ  Ｄｅｖｉｃｅ  Ｅｌｅｃｔｒｏｎｉｃｓ）インターフェース１０を介してＨＤＤ（Ｈａｒｄ  Ｄｉｓｋ  Ｄｒｉｖｅ）１１に記録される。
【００１４】
ここで、ＨＤＤ１１はリムーバブルハードディスクである。すなわち、この電子情報記録装置に着脱可能な、ディスク状記録媒体及びその駆動装置を一体化したものである。
【００１５】
一方、この電子情報記録装置においてデータ出力（すなわち再生）を行う場合、上記の記録動作とは逆にＨＤＤ１１から記録データを読み出す。そして、読み出したデジタル映像データはＩＤＥインターフェース１０を介して一旦、メモリ９に格納される。
【００１６】
メモリ９に格納されたデジタル映像データは、コーデック部１３内のデータ伸張回路７で伸張される。伸張されたデジタル映像データは、入出力信号切替部３を通ってエンコーダ４へと出力される。そして、エンコーダ４ではアナログ映像信号へと変換され、映像出力端５から出力される。
【００１７】
なお、記録／再生いずれの場合においても、単にデジタル映像データだけが記録／再生されるのではなく、映像データ以外の例えば記録経過時間データなどの付随的な情報も同様にして、記録／再生される。
【００１８】
上記の記録／再生動作において、制御部たるＣＰＵ（Ｃｅｎｔｒａｌ  Ｐｒｏｃｅｓｓｉｎｇ  Ｕｎｉｔ）８が各部を制御する。ＣＰＵ８の動作に必要なプログラムは、ＳＲＡＭ（Ｓｔａｔｉｃ  Ｒａｎｄｏｍ  Ａｃｃｅｓｓ  Ｍｅｍｏｒｙ）１５及びフラッシュメモリ等の不揮発性メモリ１４に格納されている。ＣＰＵ８は適宜、プログラムをＳＲＡＭ１５及び不揮発性メモリ１４から読み出して、上記の記録／再生動作を執り行う。
【００１９】
なお、不揮発性メモリー１４には、上記のＣＰＵ動作プログラムの他にも、本電子情報記録装置の各種設定の情報やＨＤＤ１１についての情報も格納されており、それぞれの制御動作時などに適宜、利用される。
【００２０】
図２は、ＨＤＤ１１内の記録領域２０の内容を概念的に示す図である。図２に示すように、記録領域２０は、管理データ領域２１と映像データ領域２２とに分けられている。そして、両者の境界部がデジタル映像データの記録開始位置２３となっている。
【００２１】
映像データ領域２２には、記録済み領域２２ａと未記録領域２２ｂとが含まれており、両者の境界部が、デジタル映像データがどこまで記録されたかを示す記録終了位置２４となっている。
【００２２】
管理データ領域２１内には、記録開始位置２３や記録終了位置２４等の情報が格納されている。
【００２３】
図３は、ＨＤＤ１１へのより詳細な記録動作を表すフローチャートである。上述の映像信号の記録を行う場合、例えば１［ＭＢ］のような所定量の単位で、デジタル映像データを順次、ＨＤＤ１１に記録してゆく（ステップＳ１００）。
【００２４】
まず、デコーダ２でデコードされたデジタル映像データは、データ圧縮回路６にて圧縮される（ステップＳ１０１）。圧縮されたデータはメモリ９に一時記憶され、所定量が蓄積された後にＨＤＤ１１に転送される（ステップＳ１０２）。
【００２５】
そして、ＨＤＤ１１にて、所定量ごとにデータが記録される（ステップＳ１０３）。このとき、記録したデータのＨＤＤ１１における記録終了位置（図２における記録終了位置２４に相当）の情報、具体的には、ＨＤＤ内のＦＡＴ（Ｆｉｌｅ  Ａｌｌｏｃａｔｉｏｎ  Ｔａｂｌｅ）アドレスの情報も、図２における管理データ領域２１に記録される。なお、記録終了位置の情報は、不揮発性メモリ１４にも記録される（ステップＳ１０４）。
【００２６】
このような一サイクルで、所定量のデジタル映像データの記録が完了する（ステップＳ１０５）。そして、記録動作時には、ステップＳ１００〜Ｓ１０５の一連の処理が繰り返され、所定量ごとにＨＤＤ１１内にデジタル映像データが記録されてゆく。
【００２７】
なお、記録終了位置の情報は、ステップＳ１００〜Ｓ１０５の一連の処理が繰り返されるごとに、ＨＤＤ１１及び不揮発性メモリ１４において更新されてゆく。所定量ごとの記録を行うのは、一定量のデータ蓄積ごとにこの更新を行うため、及び、メモリ９として高価な大容量メモリの採用を避けるため、等の理由からである。
【００２８】
さて、図４は、本実施の形態に係る電子情報記録装置の起動プロセスを表すフローチャートである。本実施の形態においては、起動プロセスを行う期間内に、冒頭で述べた、ディスク状記録媒体及び不揮発性メモリの双方の記録終了位置の情報の照合、及び、不揮発性メモリにおける情報更新を行う。
【００２９】
まず、起動プロセスは、ユーザによる装置の電源ＯＮコマンドの入力により開始される（ステップＳ２０１）。すると、ＣＰＵ８は、ＨＤＤ１１内の管理データ領域２１から記録終了位置の情報の読み込みを行う（ステップＳ２０２）。
【００３０】
そして、ＣＰＵ８は、不揮発性メモリ１４に記録された記録終了位置の情報をも読み込んで、管理データ領域２１から読み込んだ記録終了位置の情報との照合を行う（ステップＳ２０３）。
【００３１】
ここで、両者が一致しておれば、電源ＯＮ動作を行って装置を起動する（ステップＳ２０７）。そして、アナログ映像信号の記録を行う場合には、不揮発性メモリ１４に記録された記録終了位置から、以降の入力データの記録を行う。
【００３２】
一方、両者が一致しなければ、ＨＤＤ１１に全くデータが書き込まれていない、あるいは、記録データに異常があり読み込めない、あるいは、ＨＤＤが交換された、のいずれかと判断する（ステップＳ２０４）。
【００３３】
ＨＤＤ１１に記録終了位置の情報が記録されていない、または、読み込めない場合には、新規のＨＤＤであるか記録データに異常がある場合であるので、ＨＤＤを初期化する（ステップＳ２０６）。
【００３４】
そうでなければ、すなわち、管理データ領域２１から記録終了位置の情報は読み込めるが、不揮発性メモリ１４に記録された記録終了位置の情報と一致しない場合には、ＨＤＤが交換されたと認識し、それに応じた処理を行う。すなわち、不揮発性メモリ１４に記録された記録終了位置の情報を、ＨＤＤ１１内の管理データ領域２１に記録された記録終了位置の情報に更新する（ステップＳ２０５）。
【００３５】
そして、電源ＯＮ動作を行って装置を起動する（ステップＳ２０７）。その後、アナログ映像信号の記録を行う場合には、不揮発性メモリ１４内の更新後の記録終了位置から、以降の入力データの記録を行う。
【００３６】
例えば、図５に示すように、ＨＤＤ１１として採用されていたＨＤＤ１１ａが、電源ＯＦＦ期間中にユーザによってＨＤＤ１１ｂへと交換された場合を考える。なお、図５においては、ＨＤＤ内の管理データ領域の表示を省略し、映像データ領域のみを示している。
【００３７】
前回の装置起動時の記録動作終了後の時点においては、図３のステップＳ１０４の動作の結果、ＨＤＤ１１の管理データ領域２１に記録された記録終了位置の情報と、不揮発性メモリ１４に記録された記録終了位置の情報とは一致している。すなわち、ＨＤＤ１１の管理データ領域２１および不揮発性メモリ１４のいずれにも、ＨＤＤ１１ａにおける映像データ領域の記録済み領域３０ａと未記録領域３２ａとの境界たる記録終了位置３１ａの情報が記録されている。
【００３８】
ところが、ユーザによってＨＤＤ１１ａがＨＤＤ１１ｂへと交換されれば、ＨＤＤ１１の記録終了位置は、記録終了位置３１ａからＨＤＤ１１ｂにおける映像データ領域の記録済み領域３０ｂと未記録領域３２ｂとの境界たる記録終了位置３１ｂへと置き換わってしまう。
【００３９】
すると、ユーザが装置の電源ＯＮを指示して起動プロセスが開始し、図４のステップＳ２０３にて照合が行われたときに、ＨＤＤ１１の管理データ領域２１に記録された記録終了位置３１ｂの情報と、不揮発性メモリ１４に記録された記録終了位置３１ａの情報とが不一致と判断される。この結果、ステップＳ２０５にて不揮発性メモリ１４内の記録終了位置３１ａの情報が、記録終了位置３１ｂの情報へと更新されるのである。
【００４０】
これにより、不揮発性メモリ１４の記録終了位置３１ｂを参照して即座に、新たに接続されたＨＤＤ１１ｂの記録終了位置３１ｂから次回以降の入力データの記録を行うことができ、記録済み領域３０ｂの途中から誤ってデータを上書きすることがない。
【００４１】
本実施の形態に係る電子情報記録装置によれば、ＣＰＵ８は、装置起動時にＨＤＤ１１及び不揮発性メモリ１４の双方の記録終了位置の情報を照合する。そして、両者が一致しなければ、不揮発性メモリ１４に記録された記録終了位置の情報をＨＤＤ１１内の管理データ領域２１に記録された記録終了位置の情報に更新し、以降の入力データの記録を、更新後の記録終了位置から行う。
【００４２】
これはすなわち、不一致があればリムーバブルハードディスクの交換があったとみなして、ＣＰＵ８が新たなリムーバブルハードディスクの記録終了位置の情報を不揮発性メモリ１４に記録することを意味する。よって、ＣＰＵ８は、以降の入力データの記録を、不揮発性メモリ１４内の更新後の記録終了位置から行うことにより、交換後のリムーバブルハードディスクに入力データを即座に追加記録することができる。
【００４３】
これにより、ハードディスク等のディスク状記録媒体の交換後においても、ディスク状記録媒体へのアクセス時間の短縮が可能な電子情報記録装置が実現できる。
【００４４】
なお、上記においては映像信号を入力データとする場合を例に採ったが、音声信号やテキストデータ等、その他の信号を入力データに採用することも可能である。
【００４５】
また、上記においてはディスク状記録媒体としてリムーバブルハードディスクを想定したが、例えばＤＶＤ−Ｒ／ＲＷ（Ｄｉｇｉｔａｌ  Ｖｅｒｓａｔｉｌｅ  Ｄｉｓｃ−Ｒｅｃｏｒｄａｂｌｅ／ＲｅＷｒｉｔａｂｌｅ）やＤＶＤ−ＲＡＭ（ＤＶＤ−Ｒａｎｄｏｍ  Ａｃｃｅｓｓ  Ｍｅｍｏｒｙ）等、その他の着脱可能なディスク状記録媒体を採用してもよい。
【００４６】
＜実施の形態２＞
本実施の形態は、実施の形態１に係る電子情報記録装置の変形例であって、実施の形態１におけるＨＤＤに、さらに他のＨＤＤをも加えて、ディスク状記録媒体を複数としたものである。そして、不揮発性メモリ内の記録終了位置の情報を、所定の条件を満たす最適なディスク状記録媒体の記録終了位置の情報へと更新するものである。
【００４７】
図６は、本実施の形態に係る電子情報記録装置の構成を示すブロック図である。図６においては、実施の形態１におけるＨＤＤ１１が第１ＨＤＤ１１と呼称され、さらに、ＩＤＥインタフェースに第２ＨＤＤ１２が追加接続されている。
【００４８】
ここで、第２ＨＤＤ１２も第１ＨＤＤ１１と同様、リムーバブルハードディスクである。すなわち、この電子情報記録装置に着脱可能な、ディスク状記録媒体及びその駆動装置を一体化したものである。なお、第２ＨＤＤ１２は当初より電子情報記録装置に設けておいても、あるいは、ユーザがオプションで後付け可能としておいても、いずれでもよい。
【００４９】
なお、第１及び第２ＨＤＤ１１，１２にはそれぞれ、ジャンパピン１１ｊ，１２ｊが設けられているが、これについては後述する。
【００５０】
次に、その動作について説明する。映像信号の記録を行う場合、例えば、まず第１ＨＤＤ１１から記録を行う。そして、第１ＨＤＤ１１の残り記録可能容量がなくなった場合には、第２ＨＤＤ１２の方に記録を行う。もちろん、上記とは逆の順序で、まず第２ＨＤＤ１２から記録を行って、第２ＨＤＤ１２の残り記録可能容量がなくなった場合に第１ＨＤＤ１１の方に記録を行うようにしてもよい。なお、ステップＳ１００〜Ｓ１０５の一連の処理等、記録時の詳細動作については、実施の形態１の場合と同様である。
【００５１】
ただし、本実施の形態の場合、ＨＤＤが複数となっているので、不揮発性メモリ１４に記録される記録終了位置２４の情報には、どのＨＤＤにおける情報であるかを示すＨＤＤ特定情報も記録される。
【００５２】
具体的には、第１ＨＤＤ１１に映像信号の記録を行っている場合には、第１ＨＤＤ１１内の管理データ領域に記録終了位置の情報が記録されるとともに、不揮発性メモリ１４に「第１ＨＤＤ１１における」ことが明示された記録終了位置の情報が記録される。
【００５３】
一方、第２ＨＤＤ１２に映像信号の記録を行っている場合には、第２ＨＤＤ１２内の管理データ領域に記録終了位置の情報が記録されるとともに、不揮発性メモリ１４に「第２ＨＤＤ１２における」ことが明示された記録終了位置の情報が記録される。
【００５４】
また、この電子情報記録装置においてデータ読み出し（すなわち再生）を行う場合、第１又は第２ＨＤＤ１１，１２のいずれかから記録データを読み出す。読み出された後のデジタル映像データの経路は、実施の形態１の場合と同様である。
【００５５】
ここで、第１及び第２ＨＤＤ１１，１２を追加あるいは交換する各場合について考える。図７は、第１ＨＤＤ１１ａに加えて第２ＨＤＤ１２ａを追加した場合を示す図である。また、図８は、第１ＨＤＤ１１ｃはそのままで、第２ＨＤＤ１２ｂを第２ＨＤＤ１２ｃに交換した場合を示す図である。また、図９は、第２ＨＤＤ１２ｂはそのままで、第１ＨＤＤ１１ｃを第１ＨＤＤ１１ｂに交換した場合を示す図である。そして、図１０は、第１ＨＤＤ１１ｃを第１ＨＤＤ１１ｄに、第２ＨＤＤ１２ｃを第２ＨＤＤ１２ｄにそれぞれ交換した場合を示す図である。なお、図７〜図１０においても図５の場合と同様、管理データ領域の表示は省略し、映像データ領域のみ表示している。
【００５６】
図７においては、第１ＨＤＤ１１ａに映像データ領域の記録済み領域３０ａと未記録領域３２ａとが存在し、その境界が記録終了位置３１ａとなっている。一方、追加された第２ＨＤＤ１２ａでは、映像データ領域の記録済み領域４０ａと未記録領域４２ａとが存在し、その境界が記録終了位置４１ａとなっている。
【００５７】
図７の場合、第２ＨＤＤ１２ａは後付けされている。よって、後付け前の状態では、映像信号の記録を行うに際して、実施の形態１の場合と同様、第１ＨＤＤ１１内の管理データ領域に記録終了位置の情報が記録されるとともに、第１ＨＤＤ１１における記録終了位置の情報が不揮発性メモリ１４に記録される。
【００５８】
そして、第２ＨＤＤ１２ａが後付けされた後は、第１ＨＤＤ１１に未記録領域３２ａが存在する場合にはそこに記録を続け、存在しなくなった場合には第２ＨＤＤ１２ａの未記録領域４２ａに映像信号が記録される。第２ＨＤＤ１２ａに記録が行われるようになると、第２ＨＤＤ１２ａ内の管理データ領域に記録終了位置の情報が記録されるとともに、第２ＨＤＤ１２ａにおける記録終了位置の情報が不揮発性メモリ１４に記録される。
【００５９】
また、図８においては、第１ＨＤＤ１１ｃに映像データ領域について記録済み領域３０ｃのみが存在し、未記録領域が存在しない。そして、第２ＨＤＤ１２ｂでは、映像データ領域の記録済み領域４０ｂと未記録領域４２ｂとが存在し、その境界が記録終了位置４１ｂとなっている。
【００６０】
すなわち、図８の場合、第１ＨＤＤ１１ｃでは全映像データ領域に記録が行われたために、第２ＨＤＤ１２ｂに映像信号の記録が移行し、第２ＨＤＤ１２ｂにのみ記録終了位置４１ｂの情報が記録されている。そして、その状態の下に、第２ＨＤＤ１２ｂから第２ＨＤＤ１２ｃへと交換が行われた場合が、図８に示されている。
【００６１】
また、図９においては、ＨＤＤ交換前は図８の場合と同様であるが、第２ＨＤＤ１２ｂではなく第１ＨＤＤ１１ｃが第１ＨＤＤ１１ｂへと交換される場合が示されている。これにより、第１ＨＤＤ１１ｂにおいても記録終了位置３１ｂの情報が存在し、第２ＨＤＤ１２ｂにおいても記録終了位置４１ｂの情報が存在することとなる。
【００６２】
また、図１０においては、第１ＨＤＤ１１ｃに映像データ領域について記録済み領域３０ｃのみが存在し、未記録領域が存在しない。そして、第２ＨＤＤ１２ｃでは、映像データ領域の記録済み領域４０ｃと未記録領域４２ｃとが存在し、その境界が記録終了位置４１ｃとなっている。
【００６３】
そして、第１及び第２ＨＤＤ１１ｃ，１２ｂがともに第１及び第２ＨＤＤ１１ｄ，１２ｄへと交換された結果、第１ＨＤＤ１１ｄに映像データ領域の記録済み領域３０ｄと未記録領域３２ｄとが存在し、その境界が記録終了位置３１ｄとなっている。一方、第２ＨＤＤ１２ｄには映像データ領域の記録済み領域４０ｄと未記録領域４２ｄとが存在し、その境界が記録終了位置４１ｄとなっている。
【００６４】
さて、図１１は、本実施の形態に係る電子情報記録装置の起動プロセスの一部を表すフローチャートである。本実施の形態の起動プロセスは、基本的には図４の場合と同様であるが、ＨＤＤが複数であることに対応していくつか相違点が存在する。図４及び図１１を参照しつつ、以下において、本実施の形態の起動プロセスを説明する。
【００６５】
まず、起動プロセスは、ユーザによる装置の電源ＯＮコマンドの入力により開始される（ステップＳ２０１）。すると、ＣＰＵ８は、第１ＨＤＤ１１内の管理データ領域及び第２ＨＤＤ１２内の管理データ領域からそれぞれの記録終了位置の情報の読み込みを行う（ステップＳ２０２）。
【００６６】
そして、ＣＰＵ８は、不揮発性メモリ１４に記録された記録終了位置の情報をも読み込んで、各ＨＤＤの管理データ領域から読み込んだ各々の記録終了位置の情報との照合を行う（ステップＳ２０３）。
【００６７】
ここで、両者間で一致するものがあれば、電源ＯＮ動作を行って装置を起動する（ステップＳ２０７）。そして、アナログ映像信号の記録を行う場合には、不揮発性メモリ１４に記録された記録終了位置から、以降の入力データの記録を行う。
【００６８】
例えば、上述の図７の場合、第２ＨＤＤ１２ａは後付けされるものの、第１ＨＤＤ１１ａの記録終了位置３１ａには変化がない。また、上述の図９の場合も、第１ＨＤＤ１１ｃは交換されるものの、第２ＨＤＤ１２ｂの記録終了位置４１ｂには変化がない。
【００６９】
よって、このような場合には、不揮発性メモリ１４の記録内容を更新することなく、電源ＯＮ動作を行って装置を起動するのである。
【００７０】
一方、両者間で一致するものがなければ、第１及び第２ＨＤＤ１１，１２に全くデータが書き込まれていない、あるいは、記録データに異常があり読み込めない、あるいは、第１及び第２ＨＤＤ１１，１２の少なくとも一方が交換された、のいずれかと判断する（ステップＳ２０４）。
【００７１】
第１及び第２ＨＤＤ１１，１２のいずれにおいても記録終了位置の情報が記録されていない、または、読み込めない場合には、新規のＨＤＤであるか記録データに異常がある場合であるので、第１及び第２ＨＤＤ１１，１２を初期化する（ステップＳ２０６）。
【００７２】
そうでなければ、すなわち、第１及び第２ＨＤＤ１１，１２の少なくとも一方の管理データ領域２１から記録終了位置の情報は読み込めるが、不揮発性メモリ１４に記録された記録終了位置の情報と一致しない場合には、第１及び第２ＨＤＤ１１，１２の少なくとも一方が交換されたと認識し、それに応じた処理を行う。
【００７３】
ここで、図４におけるステップＳ２０５に代わって、図１１に示すステップＳ２０５ａ〜Ｓ２０５ｃが採用される。
【００７４】
まず、第１及び第２ＨＤＤ１１，１２のいずれにも記録終了位置の情報が記録されているかどうかが検出される（ステップＳ２０５ａ）。
【００７５】
そして、第１及び第２ＨＤＤ１１，１２のいずれか一つにしか記録終了位置の情報が記録されていない場合には、そのいずれか一つに記録された記録終了位置の情報を用いて不揮発性メモリ１４の内容を更新する（ステップＳ２０５ｂ）。
【００７６】
例えば、上述の図８の場合、第１ＨＤＤ１１ｃには未記録領域がないので記録終了位置の情報がない。また、第２ＨＤＤ１２ｂは第２ＨＤＤ１２ｃに交換されたので、不揮発性メモリ１４に記録された記録終了位置４１ｂの情報と第２ＨＤＤ１２ｃの管理データ領域から読み出された記録終了位置４１ｃの情報とは一致しない。よって、この場合は、不揮発性メモリ１４の内容を記録終了位置４１ｃの情報に更新する。
【００７７】
そして、電源ＯＮ動作を行って装置を起動するのである（ステップＳ２０７）。その後、アナログ映像信号の記録を行う場合には、不揮発性メモリ１４内の更新後の記録終了位置から、以降の入力データの記録を行う。
【００７８】
一方、第１及び第２ＨＤＤ１１，１２のいずれにも記録終了位置の情報が記録されている場合には、第１及び第２ＨＤＤ１１，１２のうち所定の条件を満たす方に記録された記録終了位置の情報を用いて不揮発性メモリ１４の内容を更新する（ステップＳ２０５ｃ）。
【００７９】
例えば、上述の図１０の場合、交換後の第１ＨＤＤ１１ｄには記録終了位置３１ｄの情報が記録されている。また、第２ＨＤＤ１２ｃは第２ＨＤＤ１２ｄに交換されたので、不揮発性メモリ１４に記録された記録終了位置４１ｃの情報と第２ＨＤＤ１２ｄの管理データ領域から読み出された記録終了位置４１ｄの情報とは一致しない。よって、この場合は、第１及び第２ＨＤＤ１１，１２のうち所定の条件を満たす方の記録終了位置に、不揮発性メモリ１４の内容を更新する。
【００８０】
そして、電源ＯＮ動作を行って装置を起動する（ステップＳ２０７）。その後、アナログ映像信号の記録を行う場合には、不揮発性メモリ１４内の更新後の記録終了位置から、以降の入力データの記録を行う。
【００８１】
このとき、所定の条件としては、例えば、記録終了位置の情報が記録された時間の早い方とすればよい。そうすれば、第１及び第２ＨＤＤ１１，１２のうち記録終了位置の記録時点の最も新しい方に優先的に追加記録を行うことが可能となる。
【００８２】
あるいは逆に、所定の条件として、記録終了位置の情報が記録された時間の遅い方としてもよい。そうすれば、第１及び第２ＨＤＤ１１，１２のうち記録終了位置の記録時点の最も古い方に優先的に追加記録を行うことが可能となる。
【００８３】
そのほかにも、例えば、残り記録可能容量の大きい方を所定の条件としてもよい。そうすれば、第１及び第２ＨＤＤ１１，１２のうち残り記録可能容量が多い方に優先的に追加記録を行うことができる。また、残り記録可能容量の小さい方を選択し、そちらに優先的に追加記録を行ってもよい。
【００８４】
それ以外にも、第１及び第２ＨＤＤ１１，１２のうち優先的に追加記録される方を予め設定しておき、その優先順位の高い方に優先的に追加記録を行ってもよい。
【００８５】
例えば、ＩＤＥインタフェース規格のＨＤＤの場合、２台のＨＤＤを接続して一方をマスタ、他方をスレーブとすることが可能である。この設定は、例えば第１及び第２ＨＤＤ１１，１２のジャンパピン１１ｊ，１２ｊの差し替えにより行うことができる。よって、第１及び第２ＨＤＤ１１，１２のうちマスタ側を優先順位の高い方とし、スレーブ側を優先順位の低い方と設定しておけばよい。
【００８６】
このような用途としては例えば、常時の映像信号の記録にはマスタ側のＨＤＤを採用するが、仮にマスタ側のＨＤＤだけでは記録容量が足りなくなった場合には、補助的にスレーブ側のＨＤＤを採用する場合などが考えられる。より具体的には、セキュリティ用の監視カメラの常時監視用としてマスタ側のＨＤＤを用いていたが、異常時に複数箇所の映像記録を行ってマスタ側のＨＤＤの記録容量が足りなくなり、スレーブ側のＨＤＤも用いる必要が生じた、等の場合が想定される。
【００８７】
そのほかにもＡＴＡ（Ａｄｖａｎｃｅｄ  Ｔｅｃｈｎｏｌｏｇｙ  Ａｔｔａｃｈｍｅｎｔ）規格によって定められているケーブルセレクト機能を使用する方法もある。ケーブルセレクト機能とは、２本のケーブルの各末端に存在するコネクタ中の所定ピンでの電位が、２本のケーブル間で異なる（一方はＯＰＥＮ、他方はＧＮＤなど）ことから、両者を識別可能とする機能のことである。よって、第１及び第２ＨＤＤ１１，１２のうちＯＰＥＮ電位側を優先順位の高い方とし、ＧＮＤ電位側を優先順位の低い方と設定しておけばよい。
【００８８】
その他の点については実施の形態１と同様であるので、説明を省略する。
【００８９】
本実施の形態に係る電子情報記録装置によれば、ＣＰＵ８は、装置起動時に第１及び第２ＨＤＤ１１，１２と不揮発性メモリ１４との間で記録終了位置の情報を照合する。そして、両者間で一致するものがなければ、不揮発性メモリ１４に記録された記録終了位置の情報を、第１及び第２のＨＤＤ１１，１２のうち所定の条件を満たす方に記録された記録終了位置の情報に更新し、以降の入力データの記録を、更新後の記録終了位置から行う。
【００９０】
これはすなわち、不一致があればリムーバブルハードディスクの交換があったとみなして、ＣＰＵ８が新たなリムーバブルハードディスクの記録終了位置の情報を不揮発性メモリ１４に記録することを意味する。よって、ＣＰＵ８は、以降の入力データの記録を、不揮発性メモリ１４内の更新後の記録終了位置から行うことにより、交換後のリムーバブルハードディスクのうち最適なものに入力データを即座に追加記録することができる。
【００９１】
これにより、複数のリムーバブルハードディスクを有する場合であっても、交換あるいは追加後の各リムーバブルハードディスクへのアクセス時間の短縮が可能な電子情報記録装置が実現できる。
【００９２】
また、所定の条件として、記録終了位置の情報が記録された時間の先後に基づく条件を採用すれば、記録終了位置の記録時点の最も新しいリムーバブルハードディスクに優先的に追加記録を行うことや、あるいは逆に、記録終了位置の記録時点の最も古いリムーバブルハードディスクに優先的に追加記録を行うことが可能となる。
【００９３】
また、所定の条件として、残り記録可能容量の大小に基づく条件を採用すれば、残り記録可能容量が最も少ないリムーバブルハードディスクに優先的に追加記録を行うことや、あるいは逆に、残り記録可能容量が最も多いリムーバブルハードディスクに優先的に追加記録を行うことが可能となる。
【００９４】
また、所定の条件として、予め設定された、複数のリムーバブルハードディスクごとの優先順位に基づく条件を採用すれば、優先順位の高いリムーバブルハードディスクに優先的に追加記録を行うことが可能となる。
【００９５】
なお、本実施の形態においては、ディスク状記録媒体として第１及び第２ＨＤＤの２つを設ける場合を例に挙げたが、３つ以上のＨＤＤを設ける等、その数には制限はない。その場合、所定の条件としては、記録終了位置の情報が記録された時間の最も早い／遅いものを選択する、残り記録可能容量が最も多い／少ないものを選択する等、適宜に条件を設定すればよい。
【００９６】
【発明の効果】
請求項１に記載の発明によれば、制御部は、所定の動作期間に（例えば装置起動時に）ディスク状記録媒体及び不揮発性メモリの双方の記録終了位置の情報を照合し、両者が一致しなければ、不揮発性メモリに記録された記録終了位置の情報をディスク状記録媒体に記録された記録終了位置の情報に更新し、以降の入力データの記録を、更新後の記録終了位置から行う。これはすなわち、不一致があればディスク状記録媒体の交換があったとみなして、制御部が新たなディスク状記録媒体の記録終了位置の情報を不揮発性メモリに記録することを意味する。よって、制御部は、以降の入力データの記録を更新後の記録終了位置から行うことにより、交換後のディスク状記録媒体に入力データを即座に追加記録することができる。これにより、ハードディスク等のディスク状記録媒体の交換後においても、ディスク状記録媒体へのアクセス時間の短縮が可能な電子情報記録装置が実現できる。
【図面の簡単な説明】
【図１】実施の形態１に係る電子情報記録装置の構成を示すブロック図である。
【図２】ＨＤＤ内の記録領域の内容を示す図である。
【図３】実施の形態１に係る電子情報記録装置におけるＨＤＤへの記録動作を表すフローチャートである。
【図４】実施の形態１に係る電子情報記録装置における起動プロセスを表すフローチャートである。
【図５】ＨＤＤの交換された場合を示す図である。
【図６】実施の形態２に係る電子情報記録装置の構成を示すブロック図である。
【図７】第１ＨＤＤ１１ａに加えて第２ＨＤＤ１２ａを追加した場合を示す図である。
【図８】第１ＨＤＤ１１ｃはそのままで、第２ＨＤＤ１２ｂを第２ＨＤＤ１２ｃに交換した場合を示す図である。
【図９】第２ＨＤＤ１２ｂはそのままで、第１ＨＤＤ１１ｃを第１ＨＤＤ１１ｂに交換した場合を示す図である。
【図１０】第１ＨＤＤ１１ｃを第１ＨＤＤ１１ｄに、第２ＨＤＤ１２ｃを第２ＨＤＤ１２ｄにそれぞれ交換した場合を示す図である。
【図１１】実施の形態２に係る電子情報記録装置における起動プロセスを表すフローチャートである。
【符号の説明】
１  映像入力端、２  デコーダ、３  入出力信号切替部、４  エンコーダ、５映像出力端、６  データ圧縮回路、７  データ伸張回路、８  ＣＰＵ、９  メモリ、１０  ＩＤＥインタフェース、１１  ＨＤＤ（第１ＨＤＤ）、１２  第２ＨＤＤ、１３  コーデック部、１４  不揮発性メモリ、１５  ＳＲＡＭ。
【図１】
2004355692.tif 000003
【図２】
2004355692.tif 000004
【図３】
2004355692.tif 000005
【図４】
2004355692.tif 000006
【図５】
2004355692.tif 000007
【図６】
2004355692.tif 000008
【図７】
2004355692.tif 000009
【図８】
2004355692.tif 000010
【図９】
2004355692.tif 000011
【図１０】
2004355692.tif 000012
【図１１】
2004355692.tif 000013